(57)【特許請求の範囲】
【請求項１】
複数の光源ユニットと、複数の前記光源ユニットを保持する保持部材と、複数の前記光源ユニットに給電する電源ユニットとを備え、
前記光源ユニットは、光源と、前記光源が発する熱を放熱する放熱部材とを有し、
前記放熱部材は、板状に形成された複数の放熱板が厚み方向に沿って間隔を空けて並ぶように構成され、
前記保持部材は、複数の前記光源ユニットを、前記間隔よりも広い隙間を空けて縦又は縦横に並べた状態で保持するように構成され、
前記電源ユニットは、外部から供給される電力を前記光源ユニットに必要とされる電力に変換する電力変換回路と、箱形に形成されて前記電力変換回路を内部に収納するケースとを有し、複数の前記光源ユニットの上方であり且つ前記放熱部材及び前記隙間と対向する位置に配置されるように構成され、
前記ケースは、前記放熱部材と対向する底板と、前記底板に対向する天板と、前記天板及び底板の周囲を囲む複数の側板とを有し、
前記底板は、少なくとも前記隙間に存在する空気を前記ケース内に引き込む吸気部が前記隙間と対向する位置に設けられ、
１乃至複数の前記側板は、前記ケース内の空気を前記ケースの外に吐き出す排気部が設けられ、
前記吸気部及び前記排気部は、それぞれ複数の貫通孔で構成されており、
前記底板は、前記天板よりも大きく、かつ、前記複数の光源ユニットを上方から覆い隠すように構成されることを特徴とする照明器具。
【請求項２】
前記保持部材は、複数の前記光源ユニットを、前記放熱板の厚み方向に沿って前記隙間を空けて縦又は縦横に並べた状態で保持するように構成されることを特徴とする請求項１記載の照明器具。
【請求項３】
前記ケースは、長尺の箱状に形成され、前記吸気部を構成する複数の前記貫通孔は、前記底板の長手方向に沿って並ぶように設けられ、前記排気部は、前記長手方向に沿って対向する一対の前記側板にそれぞれ設けられることを特徴とする請求項１又は２記載の照明器具。
【発明の詳細な説明】
【技術分野】
【０００１】
本発明は、照明器具に関し、特に、照明空間を上方から照明する照明器具に関する。
【背景技術】
【０００２】
従来例として、特許文献１記載の照明器具を例示する。この従来例は、体育館やホールなどの天井の高い建物に設置され、照明空間を上方から照明する、いわゆる高天井用の照明器具である。
【０００３】
特許文献１記載の従来例は、器具本体、４つの灯具、電源ブロック、取付金具などを備える。器具本体は、円形の底板、底板の周縁より上向きに突出する周壁、取付金具が取り付けられる一対の取付台などがアルミ又はアルミ合金によって一体に形成されている。底板には、４つの窓孔が周方向に並ぶように貫通されている。４つの灯具は、窓孔を塞ぎ且つ窓孔を通して下方に光を照射するように器具本体の底板に取り付けられる。
【０００４】
電源ブロックは、４つの電源ユニット、制御ユニット、端子台、取付板、カバーなどで構成される。４つの電源ユニットは、それぞれ４つの灯具に対して各別に直流電力を供給するように構成される。制御ユニットは、外部から入力される調光信号に応じて各電源ユニットを制御し、電源ユニットから供給される直流電力を増減することで各灯具を調光するように構成される。これら４つの電源ユニット及び制御ユニットは、取付板に取り付けられて器具本体に固定される。カバーは、下面が開口する直方体形状の金属製の箱体であり、４つの電源ユニットを内部に収めるようにして取付板に固定される。そして、電源ブロックは、器具本体の底板と平行な平面内において、４つの灯具に周囲を囲まれるように配置されて器具本体に取り付けられる。
【先行技術文献】
【特許文献】
【０００５】
【特許文献１】特開２０１４−２６８０４号公報
【発明の概要】
【発明が解決しようとする課題】
【０００６】
ところで、特許文献１記載の従来例は、複数の灯具と電源ブロックが横並びに配置されるため、横方向（水平方向）の寸法を小型化し難い。一方、横方向の寸法を小型化するために灯具の上方に電源ブロックが配置される場合、灯具から放射される熱が電源ブロックに伝わり易くなり、電源ブロックの放熱性が低下する虞がある。
【０００７】
本発明は、上記課題に鑑みてなされたものであり、小型化を図りつつ放熱性の低下を抑制することを目的とする。
【課題を解決するための手段】
【０００８】
本発明の照明器具は、複数の光源ユニットと、複数の前記光源ユニットを保持する保持部材と、複数の前記光源ユニットに給電する電源ユニットとを備え、前記光源ユニットは、光源と、前記光源が発する熱を放熱する放熱部材とを有し、前記放熱部材は、板状に形成された複数の放熱板が厚み方向に沿って間隔を空けて並ぶように構成され、前記保持部材は、複数の前記光源ユニットを、前記間隔よりも広い隙間を空けて縦又は縦横に並べた状態で保持するように構成され、前記電源ユニットは、外部から供給される電力を前記光源ユニットに必要とされる電力に変換する電力変換回路と、箱形に形成されて前記電力変換回路を内部に収納するケースとを有し、複数の前記光源ユニットの上方であり且つ前記放熱部材及び前記隙間と対向する位置に配置されるように構成され、前記ケースは、前記放熱部材と対向する底板と、前記底板に対向する天板と、前記天板及び底板の周囲を囲む複数の側板とを有し、前記底板は、少なくとも前記隙間に存在する空気を前記ケース内に引き込む吸気部が前記隙間と対向する位置に設けられ、１乃至複数の前記側板は、前記ケース内の空気を前記ケースの外に吐き出す排気部が設けられ、前記吸気部及び前記排気部は、それぞれ複数の貫通孔で構成されており、前記底板は、前記天板よりも大きく、かつ、前記複数の光源ユニットを上方から覆い隠すように構成されることを特徴とする。
【発明の効果】
【０００９】
本発明の照明器具は、小型化を図りつつ放熱性の低下を抑制することができるという効果がある。
【図面の簡単な説明】
【００１０】
【図１】本発明に係る照明器具の実施形態を示す分解斜視図である。
【図２】同上の下から見た斜視図である。
【図３】同上の上から見た斜視図である。
【図４】同上の側面図である。
【図５】同上の側面図である。
【図６】同上の側面断面図である。
【図７】同上の側面断面図である。
【図８】同上におけるアームの別の構成を示す平面図である。
【発明を実施するための形態】
【００１１】
以下、従来例で説明した高天井用の照明器具に本発明の技術思想を適用した実施形態について、図面を参照して詳細に説明する。ただし、本発明の技術思想が適用可能な照明器具は本実施形態に限定されず、例えば、道路灯や街路灯などの照明器具でもよい。
【００１２】
本実施形態の照明器具は、図１〜図３に示すように、複数（図示例では４つ）の光源ユニット１と、複数の光源ユニット１を保持する保持部材と、複数の光源ユニット１に給電する電源ユニット８とを備える。さらに、本実施形態の照明器具は、アーム１６を備えることが好ましい。ただし、照明器具を構成する光源ユニット１の数は４つに限定されず、２つ又は３つ、あるいは５つ以上でも構わない。なお、以下の説明において、特に断りの無い限り、図１において上下、左右、前後の各方向を規定する。
【００１３】
光源ユニット１は、光源に相当するＬＥＤモジュールと、放熱部材３とを有する。ＬＥＤモジュールは、複数個の発光ダイオード（ＬＥＤ）と、実装基板とを有することが好ましい。ＬＥＤは、例えば、従来周知であるパッケージ型の白色ＬＥＤである。実装基板は、矩形平板状のアルミ基板で構成されることが好ましい。ＬＥＤは、実装基板の下面に、縦横に並べて実装される。また、実装基板の下面にレセプタクルコネクタが実装される。レセプタクルコネクタは、実装基板の下面に形成される配線用の導体を介して、各ＬＥＤの電極（カソード及びアノード）と電気的に接続される。
【００１４】
放熱部材３は、ベース部３０、一対の縁部３１、複数の放熱板３２で構成されることが好ましい。なお、ベース部３０、縁部３１並びに放熱板３２は、例えば、アルミニウム合金などの熱伝導性に優れた材料で形成されることが好ましい。ベース部３０は、矩形平板状に形成される。ベース部３０の下面にＬＥＤモジュールが固定される。また、ベース部３０の下面には、ＬＥＤモジュールを覆い隠すようにカバー７が取り付けられる。カバー７は、ポリカーボネート樹脂などの透光性を有する合成樹脂材料により、扁平な矩形の箱状に形成される（図２参照）。一対の縁部３１は、左右方向を長手方向とする直方体状であって、ベース部３０の前端縁と後端縁においてベース部３０と一体に形成される。なお、縁部３１の厚み（上下方向の幅）は、ベース部３０の厚みよりも十分に大きく形成されている。
【００１５】
保持部材は、第１連結部材１０と第２連結部材１１と第３連結部材１２とアーム取付部材１３とを含むことが好ましい。
【００１６】
第１連結部材１０は、帯状の主片１００と、主片１００の長手方向に沿って主片１００の厚み方向に突出する補助片１０１とを有する。なお、主片１００と補助片１０１とは、ステンレス鋼板などの金属板が長手方向に沿って折り曲げられることで一体に形成される（図２参照）。また、第１連結部材１０は、図１に示すように、主片１００の長手方向における両端及び中央に、それぞれ突片１０２、１０３が設けられる。なお、各突片１０２、１０３には、それぞれ１つ又は２つのねじ挿通孔が設けられる。第１連結部材１０は、各突片１０２、１０３のねじ挿通孔に挿通されたねじ１０４が、放熱部材３の縁部３１に設けられたねじ孔にねじ込まれることで２つの光源ユニット１にねじ止めして取り付けられる。
【００１７】
第２連結部材１１は、帯状の金属板（例えば、ステンレス鋼板など）で構成される。ただし、第２連結部材１１の中央部１１０は、両側の端部１１１に対して厚み方向（前後方向）に突出している。中央部１１０の長手方向の両端と、各端部１１１の端とにそれぞれねじ挿通孔が設けられる。第２連結部材１１は、中央部１１０及び端部１１１のねじ挿通孔に挿通されたねじ１１２が、放熱部材３の縁部３１に設けられたねじ孔にねじ込まれることで２つの光源ユニット１にねじ止めして取り付けられる。
【００１８】
第３連結部材１２は、帯状の金属板（例えば、ステンレス鋼板など）で構成される。また、第３連結部材１２は、長手方向（左右方向）の両端にそれぞれ２つのねじ挿通孔が設けられている。これらのねじ挿通孔は、第３連結部材１２の短手方向（前後方向）に並ぶように設けられる。第３連結部材１２は、ねじ挿通孔に挿通されたねじが、放熱部材３の縁部３１に設けられたねじ孔にねじ込まれることで４つの光源ユニット１にねじ止めして取り付けられる（図６参照）。
【００１９】
アーム取付部材１３は、固定部１３０と、一対の取付部１３１と、軸受け部１３２とを有する。なお、固定部１３０と取付部１３１と軸受け部１３２とは、例えば、アルミダイカストによって一体に形成される。固定部１３０は、角樋状に形成される。一対の取付部１３１は、長尺の円錐台形状に形成される。また、各取付部１３１の先端部（上端部）には、雌ねじが形成される。軸受け部１３２は、長円筒形状に形成され、一対の取付部１３１の間に配置されて各取付部１３１並びに固定部１３０と繋がっている。軸受け部１３２には、２つのねじ孔が上下方向に並べて設けられる（図１参照）。
【００２０】
アーム１６は、長尺の金属板が長手方向における両端で同一方向に略直角に曲げられてＵ字状に形成されることが好ましい。アーム１６は、長手方向の両端部が一対の軸受け部１３２に各別且つ回転可能に支持されるようにしてアーム取付部材１３に取り付けられる（図２参照）。また、アーム１６の中央部分における長手方向の両端には、それぞれボルト挿通孔１６０、１６１が貫通している。さらに、一方のボルト挿通孔１６０は円形に形成され、且つ他方のボルト挿通孔１６１は長円形に形成される（図１参照）。
【００２１】
電源ユニット８は、図４〜図６に示すように、２つの電源ブロック８０、ケース８１、第１端子台８８、第２端子台８９を有することが好ましい。各電源ブロック８０は、外部から供給される電力（例えば、商用電源から供給される交流電力）を２つの光源ユニット１に必要とされる電力（直流電力）に変換する電力変換回路を有することが好ましい。電力変換回路は、例えば、全波整流器、力率改善回路（昇圧チョッパ回路）、ＤＣ／ＤＣコンバータ（降圧チョッパ回路）などで構成されることが好ましい。各電源ブロック８０は、図６に示すように、プリント配線板８００の表面（下面）に、電力変換回路を構成する多数の回路部品８０１が実装されて構成されることが好ましい。また、各電源ブロック８０は、先端にプラグコネクタが設けられた出力ケーブルを有することが好ましい。これらの出力ケーブルは、ケース８１の外に引き出され、光源ユニット１のレセプタクルコネクタと直接、若しくは別の電線ケーブルを介して、電気的に接続されることが好ましい。なお、これらの回路部品８０１のうち、力率改善回路及びＤＣ／ＤＣコンバータに使用される半導体素子（例えば、電界効果トランジスタ）は、他の回路部品８０１よりも相対的に発熱量が多くなる。
【００２２】
ケース８１は、図１、図２及び図６に示すように、底板８２、天板８３、４つの側板８４〜８７で構成されることが好ましい。底板８２は、ステンレス鋼板などの金属板により、正方形あるいは正方形に近い平板状に形成されることが好ましい。ただし、底板８２は、周縁部分が上向きに曲げ起こされることで強度の向上が図られることが好ましい。また、底板８２は、図１に示すように、左右方向における中央部分に吸気部８２０が設けられることが好ましい。この吸気部８２０は、縦横に並べて設けられる多数の貫通孔８２００で構成されることが好ましい。これら多数の貫通孔８２００は、左右方向よりも前後方向に多く並ぶように設けられることが好ましい。すなわち、吸気部８２０は、前後方向を長手方向とする長方形状の範囲内に設けられることが好ましい。底板８２の左右方向の中央における前後両端部分に、それぞれ左右方向に並ぶ一対のねじ挿通孔８２１が貫通している（図１参照）。そして、これら一対のねじ挿通孔８２１にそれぞれ挿通されるねじが、一対の取付部１３１の雌ねじにねじ込まれることにより、底板８２が取付部材１３にねじ止めされる。ただし、底板８２と、４つの光源ユニット１の放熱部材３の上端との間に、空間が設けられることが好ましい（図４参照）。
【００２３】
天板８３は、ステンレス鋼板等の金属板により、長方形の平板状に形成されることが好ましい。また、天板８３は、下面の前後両端部分に、それぞれ電源ブロック８０が固定されることが好ましい（図６参照）。電源ブロック８０は、プリント配線板８００がねじ止めされることで天板８３に固定されることが好ましい。
【００２４】
天板８３の前端縁には、矩形平板状の側板８４（以下、第１側板８４と呼ぶ。）が下向きに垂れ下がるように形成されることが好ましい。第１側板８４は、矩形の平板状に形成されることが好ましい。また、第１側板８４は、図１及び図３に示すように、左右方向における中央部分に排気部８４０が設けられることが好ましい。この排気部８４０は、縦横に並べて設けられる多数の貫通孔８４００で構成されることが好ましい。これら多数の貫通孔８４００は、上下方向よりも左右方向に多く並ぶように設けられることが好ましい。すなわち、排気部８４０は、左右方向を長手方向とする長方形状の範囲内に設けられることが好ましい。
【００２５】
また、天板８３の後端縁には、側板８５（以下、第２側板８５と呼ぶ。）が下向きに垂れ下がるように形成されることが好ましい。この第２側板８５は、左右両側の端部をそれぞれＬ字形に曲げるように形成されることが好ましい（図２及び図５参照）。第２側板８５は、図５に示すように、端部を除く中央部分に排気部８５０が設けられることが好ましい。この排気部８５０は、縦横に並べて設けられる多数の貫通孔８５００で構成されることが好ましい。これら多数の貫通孔８５００は、上下方向よりも左右方向に多く並ぶように設けられることが好ましい。すなわち、排気部８５０は、左右方向を長手方向とする長方形状の範囲内に設けられることが好ましい。なお、第２側板８５の右側（図５においては左側）の端部に第１端子台８８が取り付けられ、第２側板８５の左側（図５においては右側）の端部に第２端子台８９が取り付けられることが好ましい。
【００２６】
さらに、天板８３の左端縁及び右端縁には、それぞれ側板８６（以下、第３側板８６と呼ぶ。）、側板８７（以下、第４側板８７）が下向きに垂れ下がるように形成されることが好ましい（図１及び図６参照）。第３側板８６と第４側板８７は、同一寸法の長方形の平板状に形成されることが好ましい。また、第３側板８６と第４側板８７は、下端部を外側に曲げ起こすように形成されることが好ましい。なお、第３側板８６及び第４側板８７の下端部には、一対のねじ挿通孔８７０が前後方向の両端近傍に貫通されることが好ましい（図３参照）。
【００２７】
ここで、天板８３と４つの側板８４〜８７とは、全体として箱形に形成され、且つ第３側板８６と第４側板８７の各下端部が底板８２にねじ止めされることが好ましい。すなわち、第３側板８６と第４側板８７の各下端部のねじ挿通孔８７０に挿通されるねじが、底板８２に設けられるねじ孔にねじ込まれることが好ましい（図３参照）。
【００２８】
本実施形態の照明器具は、アーム１６のボルト挿通孔１６０、１６１に挿通される一対の吊りボルトにナットが締め付けられることで建物の天井に設置される。ただし、本実施形態の照明器具は、第２連結部材１１の中央部１１０に金属製のワイヤの一端がねじ止めされ、且つ当該ワイヤの他端が天井スラブに固定されたワイヤ受けに支持されることが好ましい。つまり、アーム１６が吊りボルトから外れた場合、一対のワイヤが支持することで照明器具の落下が防止されることが好ましい。
【００２９】
上述のように本実施形態の照明器具は、同一平面上に並ぶ４つの光源ユニット１の上に電源ユニット８が配置されるため、隣り合う光源ユニット１の間に電源ユニット８が配置される場合と比較して、前後方向及び左右方向における小型化を図ることができる。
【００３０】
ところで、電源ユニット８から給電されて各光源ユニット１が点灯しているとき、放熱板３２の周囲の空気は、放熱板３２からの放熱で暖められて温度が上昇する。ただし、隣り合う光源ユニット１の間の空間Ｓ１には放熱板３２が存在しないため、当該空間Ｓ１の空気の温度は、放熱板３２の周囲の空気よりも温度が低くなる（図７参照）。
【００３１】
一方、給電中において、ケース８１内の空気は、２つの電源ブロック８０が発する熱で暖められて温度が上昇し、第１側板８４の排気部８４０及び第２側板８５の排気部８５０からケース８１の外に排気される。その結果、２つの電源ブロック８０の間の空間Ｓ２の気圧が相対的に低下するので、直下の空間Ｓ１の空気が、底板８２の吸気部８２０を通してケース８１内に吸い込まれる。そして、ケース８１内に吸い込まれた空気は、２つの電源ブロック８０が発する熱を奪って２つの排気部８４０、８５０からケース８１の外に排気される。また、空間Ｓ１の空気がケース８１に吸い込まれると、空間Ｓ１の気圧が低下するので、照明器具の周囲の空気が、光源ユニット１の間を通って空間Ｓ１に流入する。つまり、本実施形態の照明器具においては、図７に矢印で示すように、空間Ｓ１→吸気部８２０→ケース８１内→排気部８４０、８５０→ケース８１外の経路で空気が移動する。そのため、２つの電源ブロック８０の発する熱が、前記経路で移動する空気によって効率的に放熱されることなる。さらに、吸気部８２０は、底板８２の左右方向の中央部、すなわち、隣り合う光源ユニット１の間の空間Ｓ１の真上に設けられている。そのため、各光源ユニット１の放熱部材３（放熱板３２）の放熱で暖められた空気は、大半が底板８２の下面に沿って照明器具の外に移動し、吸気部８２０を通ってケース８１内に吸気されることは殆ど無い（図７における矢印参照）。
【００３２】
上述のように本実施形態の照明器具は、放熱部材３の周囲よりも低い温度の空気を吸気部８２０からケース８１内に吸い込み、吸い込んだ空気で２つの電源ブロック８０の発する熱を奪って２つの排気部８４０、８５０から排気するように構成される。そのため、本実施形態の照明器具は、ケース８１と光源ユニット１とをそれほど離さずとも、ケース８１内に収納されている電源ブロック８０の放熱性の低下を抑制することができる。なお、本実施形態の照明器具は、４つの光源ユニット１を上方から底板８２で覆い隠すように構成されているため、ケース８１内の電源ブロック８０に、放熱部材３から放熱される熱の影響が及び難くなっている。ただし、底板８２は本実施形態に限定されず、例えば、光源ユニット１が２つの場合であれば、天板８３とほぼ同程度の大きさでも構わない。
【００３３】
本実施形態の照明器具は、複数の光源ユニット１と、複数の光源ユニット１を保持する保持部材（第１連結部材１０と第２連結部材１１と第３連結部材１２）と、複数の光源ユニット１に給電する電源ユニット８とを備える。光源ユニット１は、光源（ＬＥＤモジュール）と、光源が発する熱を放熱する放熱部材３とを有する。保持部材は、複数の光源ユニット１を、隙間（空間Ｓ１）を空けて縦又は縦横に並べた状態で保持するように構成される。電源ユニット８は、外部から供給される電力を光源ユニット１に必要とされる電力に変換する電力変換回路（電源ブロック８０）と、箱形に形成されて電力変換回路を内部に収納するケース８１とを有する。また、電源ユニット８は、複数の光源ユニット１の上方であり且つ放熱部材３と対向する位置に配置されるように構成される。ケース８１は、放熱部材３と対向する底板８２と、底板８２に対向する天板８３と、天板８３及び底板８２の周囲を囲む複数の側板８４〜８７とを有する。底板８２は、少なくとも前記隙間（空間Ｓ１）に存在する空気をケース８１内に引き込む吸気部８２０が設けられる。１乃至複数の側板８４〜８７は、ケース８１内の空気をケース８１の外に吐き出す排気部８４０、８５０が設けられる。吸気部８２０及び排気部８４０、８５０は、それぞれ複数の貫通孔８２００、８４００、８５００で構成される。
【００３４】
本実施形態の照明器具は上述のように構成されるので、小型化を図りつつ放熱性の低下を抑制することができる。
【００３５】
また、本実施形態の照明器具において、放熱部材３は、板状に形成された複数の放熱板３２が厚み方向（前後方向）に沿って間隔を空けて並ぶように構成されることが好ましい。
【００３６】
本実施形態の照明器具が上述のように構成されれば、放熱部材３の放熱性の向上を図ることができる。
【００３７】
さらに、本実施形態の照明器具において、ケース８１は、長尺の箱状に形成されることが好ましい。本実施形態の照明器具において、吸気部８２０を構成する複数の貫通孔８２００は、底板８２の長手方向に沿って並ぶように設けられることが好ましい。本実施形態の照明器具において、排気部８４０、８５０は、前記長手方向に沿って対向する一対の側板（第１側板８４及び第２側板８５）にそれぞれ設けられることが好ましい。
【００３８】
本実施形態の照明器具が上述のように構成されれば、吸気部８２０から各排気部８４０、８５０に至る経路を相対的に長くすることができるので、放熱性の低下をさらに抑制することができる。
【００３９】
なお、吸気部８２０の有効面積（全ての貫通孔８２００の開口面積の総和）は、２つの排気部８４０、８５０の有効面積（全ての貫通孔８４００、８５００の開口面積の総和）と等しい、あるいはほぼ等しいことが好ましい。また、排気部８４０、８５０は、第１側板８４及び第２側板８５のそれぞれ上寄りに設けられることが好ましい。本実施形態の照明器具が上述のように構成されれば、放熱性の低下をさらに抑制することができる。ただし、側板８４、８５ではなく、天板８３に排気部８４０、８５０を設けることも可能である。しかしながら、天板８３に排気部が設けられた場合、塵埃などの異物が排気部を通してケース８１内に入り込みやすくなるので、天板８３ではなく、側板８４、８５に排気部８４０、８５０が設けられることが好ましい。
【００４０】
ところで、本実施形態の照明器具は、下方から見た形状（輪郭）が矩形（正方形）である（図２参照）。そのため、本実施形態の照明器具が直線上に並ぶように設置される場合、複数の吊りボルトの一部が直線からずれて天井スラブに固定されていると、隣り合う照明器具の向きがずれてしまう虞がある。
【００４１】
そこで、本実施形態の照明器具において、アーム１６のボルト挿通孔１６１がアーム１６の短手方向（左右方向）を長手方向とする長孔状に形成されることが好ましい（図１参照）。すなわち、ボルト挿通孔１６１内で吊りボルトを移動させることができるので、吊りボルトに対するアーム１６の固定位置（角度）を調整し、隣り合う照明器具の向きをずれ難くすることができる。
【００４２】
なお、図８に示すように、２つのボルト挿通孔１６０、１６１が、アーム１６の長手方向を長手方向とする長孔状に形成されても構わない。本実施形態の照明器具が上述のように構成されれば、吊りボルトに対してアーム１６の長手方向に沿って照明器具の位置を調整し、隣り合う照明器具を直線上に並べやすくなる。
【符号の説明】
【００４３】
１  光源ユニット
３  放熱部材
８  電源ユニット
１０  第１連結部材（保持部材）
１１  第２連結部材（保持部材）
１２  第３連結部材（保持部材）
８０  電源ブロック（電力変換回路）
８１  ケース
８２  底板
８３  天板
８４〜８７  側板
８２０  吸気部
８４０  排気部
８５０  排気部
８２００  貫通孔
８４００  貫通孔
８５００  貫通孔
【図１】
0006519769.tif 000002
【図２】
0006519769.tif 000003
【図３】
0006519769.tif 000004
【図４】
0006519769.tif 000005
【図５】
0006519769.tif 000006
【図６】
0006519769.tif 000007
【図７】
0006519769.tif 000008
【図８】
0006519769.tif 000009